(57)【要約】      （修正有）【課題】ヘルメットを被って作業する人の熱中症対策としての遮熱ネックカバーを提供する。【解決手段】蒸着基布の片面にアルミ蒸着したアルミ蒸着遮熱布の蒸着面側に表布を重ね、幅はヘルメット９帽体外側の下部の前面を除く全周とし、高さは概ね肩位の長さに切断し、周囲や内部をミシン等で縫合する事により作製した遮熱ネックカバー２であって、ヘルメット９帽体外側の下部の全周にフィットする様に円形状に加工したバンド３で、遮熱ネックカバー２の幅方向の上部を蒸着面側が太陽側になるように取り付ける。【選択図】図１
0003233304.tif 000002
【実用新案登録請求の範囲】
【請求項１】
蒸着基布の片面にアルミ蒸着したアルミ蒸着遮熱布の蒸着面側に表布を重ね、幅はヘルメット帽体外側の下部の前面を除く全周、高さは概ね肩位の長さに切断し、周囲や内部をミシン等で縫合する事により作製した遮熱カバーを、ヘルメット帽体外側の下部の全周にフィットする様に円形状に加工したバンドに、遮熱カバーの幅方向の上部を蒸着面側が太陽側に成る様に取り付けた遮熱ネックカバー
【考案の詳細な説明】
【技術分野】
【０００１】  本考案は、ヘルメットの外側から首の側面かけて太陽光を反射する遮熱カバーを取り付け、作業者の熱中症予防を行おうとするものである。
【背景技術】
【０００２】  ヘルメットの周囲に布を垂らし日陰を作り、暑さ対策をする商品が販売されている。
【考案の開示】
【考案が解決しようとしている課題】
【０００３】  その為次のような問題があった。
ヘルメットの周囲に布を垂らし、暑さ対策をしている商品がある。この商品は、２枚の布を重ね合わせ周囲を縫合しヘルメット帽体外側から下側に垂らす事により日陰を作り、首回りに照射される太陽光を阻止しているものである。
熱中症に最も大きな影響を与えるのは輻射熱即ち電磁波であり、その中でも赤外線領域の波長である。
良く、日蔭であれば涼しいと言う話を聞くが、必ずしもそうではない。日蔭とは可視光線を阻止すると出来るが、この領域の波長が他の物質に照射されてもそれほど大きな熱を発生しない。現に、建物の天井裏では可視光線が阻止されて真っ暗であるが、暑くてたまらないのは周知の事実である。
重要なのは、熱量を多く発生する赤外線領域の波長を阻止する事である。
本件の布も、確かに可視光線は阻止され日蔭を作っているものの、暑くてたまらないのは赤外線を阻止していない為である。
本考案は、これらの問題を解決する為になされたものである。
【課題を解決するための手段】
【０００４】  蒸着基布の片面にアルミ蒸着したアルミ蒸着遮熱布の蒸着面側に表布を重ね、幅はヘルメット帽体外側の下部の前面を除く全周、高さは概ね肩位の長さに切断し、周囲や内部をミシン等で縫合する事により作製した遮熱カバーを、ヘルメット帽体外側の下部の全周にフィットする様に円形状に加工したバンドに、遮熱カバーの幅方向の上部を遮熱面側が太陽側に成る様に取り付けた遮熱ネックカバーである。
【図面の簡単な説明】
【０００５】
【図１】ヘルメットに取り付けた遮熱ネックカバーの外観図
【図２】遮熱ネックカバーの断面図
【考案を実施するための形態】
【０００６】  以下本考案を実施するための最良の形態について説明する。
熱は、伝導熱、対流熱、輻射熱の３つの形態で移動する。
気温は空気の温度の事で、空気が動かない静止空気の状態では伝導熱の様にゆっくりと体に伝達される。若し、私達が暑いと感じるとしたら体温以上の気温になった時である。気温２５℃夏日と言っても、体温３６．５℃より１１．５℃も低い訳で暑さは感じられないのは伝導熱の影響ではないと言う事である。
対流熱は、空気が移動して熱を運ぶもので、前記同様２５℃では暑さは感じられない。逆に、移動速度が早くなれば成るほど体感温度は低下してしまいより暑さは感じられなくなる。従って、対流熱の影響でもない事が解る。
つまり、我々が気温２５℃でも暑いと感じるのは輻射熱の影響である。
輻射熱は、物に当たるとその素材の分子等を振動させ熱を発生させる性質を持っている。気温２５℃なのに屋外にでると暑いのは、輻射熱が体に照射され発熱する為である。
【０００７】  日蔭は、可視光線を阻止すると起こり、物があれば入射側の反対側に影がはっきり見える。しかし、可視光線は余り熱量を発生させないので、日蔭に見えるから涼しいとは限らない。
現に、天井裏は真っ暗で日陰になっているが、ここが暑いのを私達は日常的に感じている。
輻射熱の中でも、熱量を多く発するのは赤外線領域の波長で、これを阻止しない限り涼しさを得る事は難しく、逆に阻止出来れば超日陰が実現する。
遮熱材は、輻射熱を強烈に反射する素材で、アルミホイル状の物なら９８％以上、アルミ蒸着品でも高反射率の物は８０％以上の反射性能を有する。
【０００８】  本考案は、蒸着基布７の片面にアルミ蒸着５したアルミ蒸着遮熱布６の蒸着面側に表布４を重ね、幅はヘルメット９帽体外側の下部の前面を除く全周、高さは概ね肩位の長さに切断し、周囲や内部をミシン等で縫合８する事により作製した遮熱カバー２を、ヘルメット９帽体外側の下部の全周にフィットする様に円形状に加工したバンド３に、遮熱カバー２の幅方向の上部を蒸着面側が太陽側に成る様取り付けた遮熱ネックカバー１である。
【０００９】  遮熱カバー２は、蒸着基布７の片面にアルミ蒸着５したアルミ蒸着遮熱布６の蒸着側に表布４を重ねたもので、両者を縫合８等によりシート状にして作製したものである。
遮熱カバー２の大きさのうち幅は、顔の周囲のなるべく多くをカバーする必要があり、ヘルメット９の周囲の前面を除く全周で概ね５００ミリメートル位が一般的である。
又、高さは肩が隠れる位で概ね３００ミリメートル位としている。
従って、本考案の遮熱カバー２は、概ね幅５００ミリメートル、高さ３００ミリメートルの一体型のシートになっている。一体型にする事により、前かがみ姿勢の作業でも首回りには太陽光が照射されることは無く、首回りは常時低温の環境でいられる。
しかし、幅方向を２分割や３分割にしても問題は無いが、分割すると前かがみの作業等では隙間が出来、首等に輻射熱が照射されることがある。又、長さは長い方が肩の下まで涼しい環境が出来るが、作業に邪魔になる場合もある。
【００１０】    遮熱カバー２をヘルメット９に取り付ける場合は、ヘルメット９の外周部下端にフィットする円形のバンド３を作り、これに遮熱カバー２を取り付ける。遮熱カバー２は、アルミ蒸着５面が必ず屋外側になりように取り付ける。
このバンド３の内側には、滑り止めが施されていて、ちょっと動いても外れにくい構造となっている。又、ヘルメット９の全周が製品よって異なるので伸縮性のある物が好ましい。
【００１１】    アルミ蒸着遮熱布６は、蒸着基布７の片面にアルミ蒸着５したもので反射率は８０〜９０％位で有る。更に、反射率の良いものを求める場合は、アルミホイルを使用しても全く問題は無い。
【００１２】    表布４は、アルミ蒸着遮熱布６に輻射熱が照射した場合、反射光が近隣の人に当たり目を傷める事が無い様反射防止用に使用している。従って、表布４の素材を特定する必要は無いが、出来れば輻射熱が透過しやすい粗目の素地が好ましい。又、色も光が反射しやすいものが好ましく、本提案ではグレイを使用している。
表布４使用のもう一つの理由は、工事現場等では架設の電気配線等もあり、万が一接触しても表布４で絶縁出来る事にある。
【００１３】  本考案のメカニズムを詳しく説明する。
太陽からの輻射熱は、遮熱カバー２の表布４に照射され熱を発生、一部は反射されて屋外側に放出されるが、大半はアルミ蒸着遮熱布６に向かって放射される。そのうち、概ね８０％以上はアルミ蒸着遮熱布６で反射され屋外側に戻されるが、残り概ね２０％は熱となりアルミ蒸着遮熱布６に吸収される。
一方、表布４を透過した輻射熱もアルミ蒸着遮熱布６にて概ね８０％以上は反射されて屋外側に放射されます。残りの概ね２０％は、熱となり前述同様アルミ蒸着遮熱布６に吸収される。
アルミ蒸着遮熱布６に吸収された熱は、伝導熱の形態をとって遮熱基布７に熱移動する。しかし、遮熱基布７は放射率が小さく、どちらかというと伝導熱の形態で空気に伝達される。
試験１の結果を見ると、表布４側温度が５０℃でも首側の遮熱基布７の温度は３５℃と体温以下となった。即ち、屋外からの輻射熱は完全に阻止され体温３６．５℃以下であり、首側に影響する熱は全くない事が解る。
実験２は、他社品との比較であるが、当該遮熱ネックカバー１のヒーター側温度が６０℃の時首側温度は４０．８℃と１９．２℃も低下している。勿論、体温３６．５℃よりは４．３℃高くなってはいるが、遮熱ネックカバー１の首側の素材は蒸着基布７で首側に輻射熱として放射される量は非常に少ないと言える。
【００１４】    一般的に、布は隙間があるから通気性が有る様な錯覚をしている。しかし、通気とは布の両面の圧力差があるときにおこるもので、ヘルメット９から垂れ下がった布でも通気は殆どしないと言える。
当該遮熱ネックカバー１は、首の周りをスッポリ覆って外側との界壁の様になっていて、首部の側面や後部からの空気の流れは皆無と言っていい。しかし、歩き出すと前方からの空気は首の後方下部から背中にかけて流れ、首回りの涼しさを醸し出す事になる。
又、静止している場合でも、遮熱ネックカバー１の温度が首の温度より低い場合は、首回りの空気は体温により膨張するので、首回りから屋外側に流れ出す事になり空気の移動が感じられる。
更に、遮熱ネックカバー１の温度が首より上昇すると、遮熱ネックカバー１から空気に伝達される熱量が増え、空気は膨張する。その結果、このエリアの空気は外側に排出され、空気の移動を伴う。
これらの結果、何れの場合もこの空間では空気の移動が感じられ、何となく涼しげな環境になる。
【００１５】  ［試験１］
８００Ｗ遠赤外線ヒーターの前方３００ミリメートルの位置に、ヘルメット９帽体外側に遮熱ネックカバー１を取り付け、ヘルメット９の後側がヒーター側に成る様セットしサーモグラフィーにて温度を測定した。この時の室温は、２１℃であった。
【００１６】  ［結果１］
遮熱ネックカバー１の表布４の表面が５０℃になった時、ヘルメット９内側の遮熱ネックカバー１の表面温度は３５℃であった。
【００１７】  ［考察１］
室温は２１℃と低かったものの、表布４の温度が５０℃で頭部側は１５℃も低く、体温３６．５℃より１．５℃も低い。体温より低ければ、外側からの熱は頭部に全く影響を及ぼすことが無く、極めて優秀な性能を有している事が解る。
【００１８】  ［試験２］
８００Ｗの遠赤外線ヒーター前方３００ミリメートルの位置に、当該遮熱ネックカバー１と市販の布製ネックカバーとを置いた。遮熱ネックカバー１のヒーター側が所定の温度の時、両者の温度差を測定した。表面温度は、サーモグラフィーで測定した。この時の室温は、２３℃であった。
【００１９】  ［結果２］
0003233304.tif 000003
【００２０】  ［考察２］
イ）遮熱ネックカバー１と他社品との温度差は、ヒーター側温度が５０．０℃で１１．８℃、７０．０℃では１９．９℃と明らかに遮熱ネットカバー１の性能が高い事が解る。
ロ）遮熱ネットカバーの首側温度と３６．５℃の人体の温度との差を見ると、ヒーター側温度５０．０℃の時０．６℃、６０．０℃の時４．３℃、７０．０℃の時５．６℃とその差は非常に小さい。従って、首の後部が極端に暑くなることは無い。
【考案の効果】
【００２１】  アルミ蒸着遮熱布６を使用する事により紫外線の９８％を阻止する事が出来、皮膚にも優しい商品である。
【００２２】  遮熱ネックカバー１は、蒸着基布７にアルミ蒸着５したもので水洗いが出来衛生的である。
【００２３】  ヘルメット９外側に、帽体天端から押し込む様にセットすれば良く、取り付け取り外しが非常に簡単である。
【符号の説明】
【００２４】１遮熱ネックカバー
２遮熱カバー
３バンド
４表布
５アルミ蒸着
６アルミ蒸着遮熱布
７蒸着基布
８縫合
９ヘルメット
【図１】
0003233304.tif 000004
【図２】
0003233304.tif 000005